(57)【要約】【課題】冷房設備における室外ユニットのハウジングに対して、枠組を強固に固定できる水噴霧装置を提供する。【解決手段】ハウジング２の相対峙する外周壁に対して着脱自在な複数のフレームＣＴ１、ＣＹ１、ＣＴ２（ＣＴ３、ＣＹ２、ＣＴ４）からなる門型の固定枠組と、固定枠組に装着されてハウジングにおける空気取入口３ａ、３ｂ、３ｃに向かって水を散水または噴霧するスプレー体１２を備えた支持枠組とを有する。固定枠組における一方のフレームＣＴ１、ＣＴ３の部位及び押圧手段の押圧ブロック１９の防振部材１５、２０が相対峙する外周壁に当接し、ボルト１８にて固定枠組における他方のフレームＣＴ２、ＣＴ４を介して押圧ブロック１９における防振部材２０を外周壁に押圧することで、固定枠組にてハウジング２を挟持固定する。【選択図】図１
2013100949.tif 000002
【特許請求の範囲】
【請求項１】
冷房設備用の室外ユニットにおける熱交換器に水を散水または噴霧する水噴霧装置であって、
前記室外ユニットのハウジングの外周壁に対して着脱自在な複数のフレームからなる枠組と、該枠組に装着されて前記ハウジングにおける空気取入口に向かって水を散水または噴霧するスプレー体とを備え、
前記枠組には前記ハウジングにおける相対峙する外周壁を挟持する押圧手段が備えられている、冷房設備用室外機の水噴霧装置。
【請求項２】
前記ハウジングにおける相対峙する外周壁に当接する前記枠組における一方のフレームの部位及び前記押圧手段に防振部材が介挿され、
前記押圧手段は、前記枠組における他方のフレームを介して押圧ブロックにおける前記防振部材を前記外周壁に押圧する手段である、請求項１に記載の冷房設備用室外機の水噴霧装置。
【請求項３】
前記スプレー体によるスプレー方向が少なくとも２軸回りに変位する取付け体を介して前記スプレー体を前記枠組に装着してなる、請求項１または２に記載の冷房設備用室外機の水噴霧装置。
【発明の詳細な説明】
【技術分野】
【０００１】
従来から、空気調和機（空調設備）、冷房設備、冷凍設備（以下、まとめて冷房設備という、以下同じ）における室外機のハウジング内に熱交換器（コンデンサ部ともいう、以下同じ）を内装したものがある。夏期等で冷房設備を冷房運転するには、室外機における熱交換器から熱を奪う一方、室内機器で冷気を室内に放出するように冷凍サイクルを稼動させている。
【０００２】
その場合、運転中の室外機の熱交換器に水を噴霧または散水して、その気化熱による冷却効果を利用して熱交換器の効率化するための冷房設備用室外機の水噴霧装置が種々開発されている。
【０００３】
上記水噴霧装置を室外機のハウジング外に装着する従来技術として、特許文献１及び２では、スプレー体を取付けるためのフレームをハウジングにネジ止めすることが開示されている。
【０００４】
他方、特許文献３は、室外機の熱交換器を内装するハウジングの表裏両側面に、熱交換器の吸引入口が設けられ、この両吸引入口に対向するように、ハウジングの外側には一対の補助冷却装置が相対向するように設けられる。各補助冷却装置は吸引入口に対向するクーリングマット及びこのクーリングマットの周囲を固定したフレーム枠、フレーム枠の上端に横長に配置される散水樋等からなり、クーリングマットに水を流下・供給するための給水手段を有している。そして、一対のフレーム枠（一対の補助冷却装置）をハウジングの表裏両側面に固定するための固定部材は、中間部にばね部材を介在させ、一対の係止金具とバックル付きのバンドを備えた結束具であり、この固定部材によりハウジングの外周を取り巻いて締めつけることで、一対の補助冷却装置を固定する構成である。
【先行技術文献】
【特許文献】
【０００５】
【特許文献１】特開２００２−３６４９４８号公報（図１〜図１１参照）
【特許文献２】特開２００６−３４３０７６号公報（図１〜図４参照）
【特許文献３】特許第４５４５８２号（図１〜図３参照）
【発明の概要】
【発明が解決しようとする課題】
【０００６】
しかしながら、特許文献１や２のように、フレームを冷房設備のハウジングにねじ止めするには、ハウジングの所定個所に雌ねじ部を設けなければならず、長期使用により、雌ねじ部からハウジングの塗装が剥げて腐食（錆）が発生する虞がある。また、冷房設備の回転部分による稼動時の振動にてねじ止めが緩み、水噴霧装置が脱落する虞もあった。
他方、特許文献３の構成では、冷房設備におけるハウジングの種々のサイズに対応できるけれども、噴霧ノズル（スプレー体）からの噴霧で冷却効果を向上させるタイプでは、クーリングマットに比べて、ハウジングにおける空気取入口（吸引口）から離れた外側に噴霧ノズル（スプレー体）を配置する場合のフレーム枠の固定部材として不完全であり、また、特許文献３の構成の固定部材の必要部品点数も多くなるという問題があった。
【０００７】
本発明は、上記従来技術の問題点に鑑みなされたものであって、冷房設備におけるハウジングに対して枠組を強固に固定でき、且つ部品点数が少ない簡単な構成の水噴霧装置を提供することを目的とするものである。
【課題を解決するための手段】
【０００８】
上記課題（問題点）を解決するため、本発明は、冷房設備用の室外ユニットにおける熱交換器に水を散水または噴霧する水噴霧装置であって、前記室外ユニットのハウジングの外周壁に対して着脱自在な複数のフレームからなる枠組と、該枠組に装着されて前記ハウジングにおける空気取入口に向かって水を散水または噴霧するスプレー体とを備え、前記枠組には前記ハウジングにおける相対峙する外周壁を挟持する押圧手段が備えられているものである。
【０００９】
請求項２に記載の発明は、請求項１に記載の冷房設備用の室外機の水噴霧装置において、前記ハウジングにおける相対峙する外周壁に当接する前記枠組における一方のフレームの部位及び前記押圧手段に防振部材が介挿され、前記押圧手段は、前記枠組における他方のフレームを介して押圧ブロックにおける前記防振部材を前記外周壁に押圧する手段である。
【００１０】
請求項３に記載の発明は、請求項１または２に記載の冷房設備用の室外機の水噴霧装置において、前記スプレー体によるスプレー方向が少なくとも２軸回りに変位する取付け体を介して前記スプレー体を前記フレームに装着してなるものである。
【発明の効果】
【００１１】
請求項１に記載の発明によれば、室外ユニットのハウジングの外周壁に対して着脱自在な複数のフレームからなる枠組にはハウジングにおける相対峙する外周壁を挟持する押圧手段が備えられているから、ハウジングに何等の細工も施すことなく枠組みをハウジングにフレーム、ひいては水噴霧装置を強固に固定できる。また、種々の外形寸法を有する冷房設備のハウジングに適用することが可能となる。
【００１２】
請求項２に記載の発明によれば、前記ハウジングにおける相対峙する外周壁に当接する前記枠組における一方のフレームの部位及び前記押圧手段に防振部材が介挿され、前記押圧手段は、前記枠組における他方のフレームを介して押圧ブロックにおける前記防振部材を前記外周壁に押圧する手段であり、ハウジングの外周壁に当接するのは防振部材であるから、ハウジングの外周壁の表面を傷付けたり、塗装が剥げることを確実に防止できる。また、室外ユニットの運転に伴うハウジングの振動が枠組ひいてはスプレー体に伝達することも防止できて、枠組の緩みやスプレー体によるスプレー方向の狂いなども防止できる。
【００１３】
請求項３に記載の発明によれば、前記スプレー体によるスプレー方向が少なくとも２軸回りに変位する取付け体を介して前記スプレー体を前記枠組に装着してなるから、ハウジングにおける空気取入口に向かって効果的な方向から水を散水または噴霧する調節作業が容易となるという効果を奏する。
【図面の簡単な説明】
【００１４】
【図１】本発明の水噴霧装置を備えた冷房設備用の室外ユニット（室外機）の斜視図である。
【図２】本発明の水噴霧装置を備えた室外ユニットの平面図である。
【図３】枠組の一方を示す平断面図である。
【図４】枠組の下部の他の実施例を示す一部切欠き斜視図である。
【図５】押圧手段の第１実施例を示す要部側断面図である。
【図６】押圧手段の第２実施例を示す要部側断面図である。
【図７】スプレー体の取付け体の第１実施例を示す要部断面図である。
【図８】スプレー体の取付け体の第１実施例の部品分解図である。
【図９】スプレー体の取付け体の第２実施例を示す要部断面図である。
【図１０】（Ａ）はスプレー体の取付け体の第３実施例を示す側面図、（Ｂ）は図１０（Ａ）のXB−XB線矢視図である。
【図１１】メッシュカバー体の取付け部の一例を示す斜視図である。
【発明を実施するための形態】
【００１５】
次に、図面を参照しながら本発明の実施例について詳細に説明する。図１及び図２に示すものはビルの屋上や敷地に設置した大型乃至中型の冷房設備用の室外機１（請求項にいう室外ユニットに相当）であり、この室外機１のハウジング２は金属板を箱型に形成したものである。なお、本発明において、冷房設備とは、空気調和機（空調設備）、冷房設備、冷凍設備をいい、業務用及び家庭用の両方を含む。
【００１６】
図１及び図２において、ハウジング２の天井板２ｅの４側から下に延びる４側板のうち、ハウジング２の左右に長い寸法を有して面積の大きい空気取入口３ａを有する縦側面を便宜上、正面板２ａと言う。正面板２ａを挟んで左右両側板２ｂ、２ｃとし、それぞれの個所に空気取入口３ｂ、３ｃが開口している。正面板２ａと平行な裏面板２ｄには空気取入口を有していないものとする。空気取入口３ａ、３ｂ、３ｃはハウジング２に内装した熱交換器（図示せず）の冷却部（コンデンサ部、冷却フインなど）方向に外気（空気）を取り込むために開口され、各空気取入口３ａ、３ｂ、３ｃ（総称していうときは空気取入口３という）にはそれからハウジング２内に虫や鳥、その他のゴミが侵入しないようにメッシュ板（パンチ孔板、格子板、金網などを含む）４が張設されている。ハウジング２の天井板２ｅには、熱交換器を通過した空気を外部に排出するための電動フアン６を有する排気口５が設けられている。
【００１７】
本発明の水噴霧装置は、アルミ製押出成形品または鋼材などの金属製の中空角棒状部材やアングル材を適宜形状に溶接した部材（以下、フレームという）からなる枠組１０、この枠組１０の複数の所定個所に取付け体１１を介して取付けられるスプレー体１２、スプレー体１２に高圧水（または中低圧水）を供給するホース１３、圧水を発生させるコンプレッサ（不図示）及び制御箱などを含む電源部（不図示）を有している。スプレー体１２は水を細霧状にして放出させるノズルを有している公知の構成である。
【００１８】
［枠組１０の構成］
次に、枠組１０の構成について説明する。図１〜図３に示すように、枠組１０はハウジング２の外周壁に固定する固定枠組と、固定枠組に取付けられて、スプレー体１２用の取付け体１１を支持するための支持枠組とからなる。
【００１９】
固定枠組は、ハウジング２の天井板２ｅのうち、正面板２ａに近い側縁と裏面板２ｄに近い側縁とに配置される門型フレームである。正面板２ａに近い側に配置される門型フレームは、天井板２ｅに載置する横基準フレームＣＹ１と、横基準フレームＣＹ１の右端に連設されてハウジング２の正面板２ａと右側板２ｃとの角部に添設する基準縦フレームＣＴ１と、横基準フレームＣＹ１の左端に連設されて左側板２ｂと平行で下向きに延びる押圧側フレームＣＴ２である。裏面板２ｄに近い側に配置される門型フレームは、天井板２ｅに載置する横基準フレームＣＹ２と、横基準フレームＣＹ２の右端に連設されてハウジング２の正面板２ａと右側板２ｃとの角部に添設する基準縦フレームＣＴ３と、横基準フレームＣＹ２の左端に連設されて左側板２ｂと平行で下向きに延びる押圧側フレームＣＴ４である。
【００２０】
基準縦フレームＣＴ１、ＣＴ３（請求項でいう一方のフレーム）は図３に示すように、中空角柱フレームＣＵの一側にＬ型アングル材Ａ１を固定したものであり、Ｌ型アングル材Ａ１の内角辺に防振部材１５が貼り付けられている。そして、正面板２ａと右側板２ｃとの角部に防振部材１５が当接するように添設する。
【００２１】
［枠組（門型フレーム）のハウジングへの押圧（固定）手段］
中空角柱フレームＣＵからなる押圧側フレームＣＴ２、ＣＴ４（請求項でいう他方のフレーム）の外側面（もしくは内側面）にナット１６を溶接し、ナット１６の雌ねじ部に対応する貫通孔１７を押圧側フレームＣＴ２、ＣＴ４に穿設する（図５参照）。そして、左側板２ｂに当接する部位に板状などの防振部材２０が貼り付けられた押圧ブロック１９を上記ナット１６に螺合させた押圧ボルト１８にて左側板２ｂに押し付けする。その場合、押圧側フレームＣＴ２、ＣＴ４の下端側が押圧ボルト１８の押圧反力で左側板２ｂから離間変形しないようにするため、押圧側フレームＣＴ２、ＣＴ４と横基準フレームＣＹ１、ＣＹ２と間等を筋違フレームＤＢにて連結する（図１、図２参照）。他の実施例としては、横連結フレームＹＲの両端部を基準縦フレームＣＴ１及び押圧側フレームＣＴ２の下端部にボルト・ナット２１にて連結する（図１参照）。この場合、横連結フレームＹＲを太径フレームに細径フレームを伸縮可能に挿入し、所定の間隔に設定したところで図示しない止めボルト・ナットにて太径フレームに対する細径フレームの挿入位置を止めるように構成すれば、ボルト・ナット２１のフレームに対する取付け孔の位置合わせが容易になる。さらに他の実施例では、図４に示すように、床面にアンカーボルト２２にて固定するベース部材２３における上向き開口支柱２４に押圧側フレームＣＴ２、ＣＴ４の下端を差し込んでボルト・ナット２５で固定する方式も採用できる。
【００２２】
防振部材２０が貼り付けられた押圧ブロック１９を押圧側フレームＣＴ２、ＣＴ４の下端側の押圧ボルト１８にて押圧する場合、図６に示すように押圧ブロック１９と押圧ボルト１８と間に圧縮コイルばね２６を介在させても良い。このように、押圧手段に防振部材１５、２０や圧縮コイルばね２６を介挿することにより、熱交換器や電動フアン６の運転時にハウジング２が振動しても枠組１０に振動が伝わらず、後述するスプレー体１２の取付け向きなどが不用意に変位しないし、他のボルト締着個所が緩むことも防止できるという効果を奏する。さらに、防振部材１５、２０がハウジング２の板に当接しているので、ハウジング２の板の塗装が剥げたり、板表面が傷つくすることを確実に防止できる。
また、上述のごとく門型フレームからなる固定枠組によりハウジング２の外側を挟むようにして固定すると、ハウジング２の高さ寸法や正面板２ａの左右方向（長手方向）の寸法が異なる機種にも適用できる。押圧手段としては、門型の固定枠組とその一方の押圧側フレームＣＴ２、ＣＴ４に螺着した押圧ボルト１８と防振部材２０付き押圧ブロック１９とが構成部品であり、構成が極めて簡単である。
【００２３】
［支持枠組の取付け］
スプレー体１２用の取付け体１１を支持するための支持枠組は固定枠組と同様の中空角柱フレームＣＵを使用したＬ型及びコ字型の縦フレームＥＴや横フレームＥＹからなる。支持枠組はハウジング２の外面に対して固定枠組よりも離間して配置される。図１及び図２に示す実施例では、正面板２ａ及び左側板２ｂに対峙する個所で、縦フレームＥＴの上端の横基部ＹＫを横基準フレームＣＹ１、ＣＹ２の側面に沿わせた状態でボルト２７を貫通させ、ナット（不図示）に螺着固定する。右側板２ｃに対峙する個所では、コ字型の横フレームＥＹを横基準フレームＣＹ１、ＣＹ２の側面に沿わせた状態でボルト２７を貫通させ、ナット（不図示）に螺着固定する。そして、上端の横フレームＥＹに対して下向きに延びる縦フレームＥＴを固定する。上端及び上下方向の中段もしくは下段の横フレームＥＹは取付け寸法誤差を吸収するため、太径フレームに細径フレームを伸縮可能に挿入し、所定の間隔に設定したところで図示しない止めボルト・ナットにて太径フレームに対する細径フレームの挿入位置を止めるように構成して良い。なお、図１の実施例では、正面板２ａに対峙する個所での縦フレームＥＴの下端は、前述した横連結フレームＹＲにボルト・ナット２５で固定している。
【００２４】
［スプレー体の取付け手段］
図７〜図９は、支持枠組である縦フレームＥＴや横フレームＥＹへのスプレー体１２の取付け手段としての取付け体１１の第１実施例を示す。本実施例のスプレー体１２は、図８に示すようなＴ型などの接続パイプ３１の中央部に接続され、接続パイプ３１の両端にホース１３が接続されて、隣接する接続パイプ３１等に繋がる。但し、最終端のスプレー体１２個所では接続パイプ３１の他端が栓にて封止される。
【００２５】
図７及び図８に示すように、第１実施例の取付け体１１は、接続パイプ３１の中央部を挟み付けて支持する第１金具３２と、第１金具３２の取付け角度を変更調節するための第２金具３３と、第２金具３３の取付け角度を変更調節し、且つ、縦フレームＥＴや横フレームＥＹへ固定する第３金具３４とからなる。第１金具３２は、断面コ字状の先端片３２ａと、この先端片３２ａとの間でビス３５にて挟み付け固定する挟み片３２ｂと、先端片３２ａに屈曲させて設けられた基部片３２ｃとからなる。挟み片３２ｂの基端の突起部３６が先端片３２ａに穿設された孔３７に嵌め入れられ、孔３７の個所を中心にして挟み片３２ｂが回動可能となっている。
【００２６】
第２金具３３は、中央片３３ａの両端部に互いに直交し且つ反対向きに延びるように屈曲された第１片３３ｂと第２片３３ｃとからなる。第１片３３ｂの平面は第１金具３２における基部片３２ｃの平面に当接され、両片に穿設された孔を介してボルト・ナット３８にて連結されている。これにより、第２金具３３に対して第１金具３２ひいてはスプレー体１２が図７を示す紙面と平行な面上で角度θ１の範囲で回動位置調節可能である。
【００２７】
第３金具３４は断面Ｌ型であり、その一方片３４ａを縦フレームＥＴや横フレームＥＹである中空角柱フレームＣＵの外面に沿わせ、両者をボルト・ナット３９にて締着固定する。第３金具３４の他方片３４ｂの平面と第２金具３３における第２片３３ｃとが当接され、両片に穿設された孔を介してボルト・ナット４０にて連結されている。これにより、第３金具３４に対して第２金具３３が図７を示す紙面と直交する面上で適宜角度の範囲で回動位置調節可能となる。
【００２８】
上記の構成により、縦フレームＥＴや横フレームＥＹの取付け面に対して取付け体１１の先端側である第１金具３２は互いに直交する２軸回りに変位可能となるので、この取付け体１１に取付けられたスプレー体１２の噴霧方向を、ハウジング２の各空気取入口３ａ、３ｂ、３ｃの広い面に対して傾斜させるなどの適宜任意に変更調節することができる。
【００２９】
図９に示す取付け体１１′は第２実施例であり、第１金具３２と、第１金具３２の取付け角度を変更調節するための第２金具３３とは、第１実施例の同じ構造であるから同じ部品には同じ符号を付して詳細な説明は省略する。第３金具４１は断面Ｌ型で、その一方片４１ａを縦フレームＥＴや横フレームＥＹである中空角柱フレームＣＵの外面と平行に配置し、第３金具４１の他方片４１ｂの内平面を前記一方片４１ａと直交させて中空角柱フレームＣＵの外面に当接させる。さらに、他方片４１ｂの内平面に固定されたＬ型支持片４１ｃと前記一方片４１ａとは互いに平行且つ対峙させ、Ｌ型支持片４１ｃも中空角柱フレームＣＵの他の外面に当接させる。このＬ型支持片４１ｃと、一方片４１ａに螺着したボルト４２とで中空角柱フレームＣＵを挟持固定するのである。このように構成すれば、第１実施例と同様にスプレー体１２の空気取入口３ａ、３ｂ、３ｃに対する噴霧方向を任意に変更調節することができる上、縦フレームＥＴや横フレームＥＹの長手方向の任意位置に取付け体１１′を固定することができるのである。
【００３０】
図１０（Ａ）、図１０（Ｂ）に示す第３実施例の取付け体４３では、第２金具４４と、第２金具４４の取付け角度を変更調節し、且つ、縦フレームＥＴや横フレームＥＹへ固定する第３金具４５とは第１実施例の構成とほぼ同じであり、断面Ｌ型の第２金具４４にはスプレー体１２を首振り可能に支持するクランプ体４７が設けられている。
【００３１】
第３金具４５は断面Ｌ型であり、その一方片４５ａを縦フレームＥＴや横フレームＥＹである中空角柱フレームＣＵの外面に沿わせ、両者をボルト・ナット４６にて締着固定する。第３金具４５の他方片４５ｂの平面と第２金具４４における第２片４４ｂとが当接され、両片に穿設された孔を介してボルト・ナット４８にて連結されている。これにより、第３金具４５に対して第２金具４４が図１０（Ｂ）を示す紙面と直交する面上で適宜角度の範囲で回動位置調節可能となる。第２金具４４における第１片４４ａには断面Ω型のクランプ体４７が突設され、クランプ体４７にて中央部にスプレー体１２が接続されたＴ型の接続パイプ３１の円断面両側部を回動可能に把持する。
【００３２】
この構成により、スプレー体１２の噴霧方向がクランプ体４７の個所を中心にして角度θ２の範囲で回動変位可能となり（図１０（Ａ）参照）、ボルト・ナット４８の個所を中心にして第２金具４４が角度θ３の範囲で回動変位可能となる（図１０（Ｂ）参照）。従って、この実施例の取付け体４３によってもスプレー体１２の空気取入口３ａ、３ｂ、３ｃに対する噴霧方向を任意に変更調節することができる。なお、第３金具４５を第２実施例のように構成すれば、縦フレームＥＴや横フレームＥＹの長手方向の任意位置に取付け体４３を固定することができるのである。
【００３３】
なお、風により、スプレー体１２からの噴霧方向が乱されるのを防止するため、支持枠組の外周に、金属製のメッシュ板や孔開き板もしくは合成樹脂製の多孔材などのカバー体５０を張りめぐらせることが好ましい。その場合、図１１に示すように、縦フレームＥＴや横フレームＥＹを構成する中空角柱フレームＣＵの外面に係止用釦５１を突設し、カバー体５０に設けられた係止雌部５２に係止用釦５１を係脱可能としておけば、メンテナンス時などでカバー体５０の着脱作業性が向上するという効果を奏する。なお、カバー体５０を支持枠組に取付けする手段として、面ファスナーやホックスナップボタンなどの種々のものが適用できる。
【符号の説明】
【００３４】
１  室外機
２  ハウジング
３、３ａ、３ｂ、３ｃ  空気取入口
１０  枠組
１１、１１′、４３  取付け体
１２  スプレー体
１３  ホース
１８  押圧ボルト
１９  押圧ブロック
２０  防振部材
ＣＴ１、ＣＴ３  縦基準フレーム
ＣＹ１、ＣＹ２  横基準フレーム
ＣＴ２、ＣＴ４  押圧側フレーム
ＥＴ    縦フレーム
ＥＹ    横フレーム
【図１】
2013100949.tif 000003
【図２】
2013100949.tif 000004
【図３】
2013100949.tif 000005
【図４】
2013100949.tif 000006
【図５】
2013100949.tif 000007
【図６】
2013100949.tif 000008
【図７】
2013100949.tif 000009
【図８】
2013100949.tif 000010
【図９】
2013100949.tif 000011
【図１０】
2013100949.tif 000012
【図１１】
2013100949.tif 000013